(57)【要約】【課題】横流の発生を簡易な構成で確実に防止すること。【解決手段】商用交流電源１０からの交流電力またはインバータ１１からの交流電力を選択して出力する電力供給装置において、商用交流電源１０と出力との間に設けられたスイッチ１３と、インバータ１１と出力との間に設けられたスイッチ１４と、スイッチ１３，１４の双方がオンの状態になった場合に、商用交流電源１０とインバータ１１との間に流れる横流を検出するカレントトランス１２と、カレントトランス１２によって横流が検出された場合には、インバータ１１の動作を停止するように制御する制御回路１６と、を有する。【選択図】　　　　図１
2004147441.tif 000002
【特許請求の範囲】
【請求項１】
交流電源からの交流電力またはインバータからの交流電力を選択して出力する電力供給装置において、
上記交流電源と出力との間に設けられた第１のスイッチと、
上記インバータと出力との間に設けられた第２のスイッチと、
上記第１および第２のスイッチの双方がオンの状態になった場合に、上記交流電源と上記インバータとの間に流れる横流を検出する検出回路と、
上記検出回路によって横流が検出された場合には、上記インバータの動作を停止するように制御する制御回路と、
を有することを特徴とする電力供給装置。
【請求項２】
前記制御回路は、前記インバータから前記交流電源へ選択先を変更する場合には、前記第１のスイッチをオンの状態にし、前記検出回路によって横流が検出された場合には、前記インバータの動作を停止した後、前記第２のスイッチをオフの状態にすることにより、前記インバータまたは出力側に接続された負荷にかかる負担を軽減させることを特徴とする請求項１記載の電力供給装置。
【請求項３】
交流電源からの交流電力またはインバータからの交流電力を選択して出力する電力供給装置において、
上記交流電源と出力との間に設けられた第１のスイッチと、
上記インバータと出力との間に設けられた第２のスイッチと、
上記第１および第２のスイッチにより、上記インバータから上記交流電源へ選択先を変更する場合、または、上記交流電源から上記インバータへ選択先を変更する場合には、上記インバータから出力される交流電力の電圧および位相が上記交流電源から出力される交流電力の電圧および位相とそれぞれ等しくなるように制御する制御回路と、
を有することを特徴とする電力供給装置。
【請求項４】
前記制御回路は、
前記インバータから前記交流電源へ選択先を変更する場合には、前記インバータから出力される交流電力の電圧および位相が上記交流電源から出力される交流電力の電圧および位相とそれぞれ等しくなるように制御した後に、前記第１のスイッチをオンの状態にし、つづいて、前記第２のスイッチをオフの状態にし、
前記交流電源から前記インバータへ選択先を変更する場合には、前記インバータから出力される交流電力の電圧および位相が上記交流電源から出力される交流電力の電圧および位相とそれぞれ等しくなるように制御した後に、前記第２のスイッチをオンの状態にし、つづいて、前記第１のスイッチをオフの状態にする、
ことを特徴とする請求項３記載の電力供給装置。
【請求項５】
交流電源と出力との間に設けられた第１のスイッチと、インバータと出力との間に設けられた第２のスイッチとを制御することにより、上記交流電源からの交流電力または上記インバータからの交流電力を選択して出力する電力供給方法において、
上記第１および第２のスイッチの双方がオンの状態になった場合に、上記交流電源と上記インバータとの間に流れる横流が検出されたときには、上記インバータの動作を停止させることを特徴とする電力供給方法。
【請求項６】
交流電源と出力との間に設けられた第１のスイッチと、インバータと出力との間に設けられた第２のスイッチとを制御することにより、上記交流電源からの交流電力または上記インバータからの交流電力を選択して出力する電力供給方法において、
上記インバータから上記交流電源へ選択先を変更する場合、または、上記交流電源から上記インバータへ選択先を変更する場合には、上記インバータから出力される交流電力の電圧および位相が上記交流電源から出力される交流電力の電圧および位相とそれぞれ等しくなるように制御することを特徴とする電力供給方法。
【発明の詳細な説明】
【０００１】
【発明の属する技術分野】
本発明は、電力供給装置および電力供給方法に関する。
【０００２】
【従来の技術】
無停電電源装置等の電力供給装置では、インバータからの交流電力と商用電源からの交流電力とを選択して負荷側に供給する構成を有するものがある（特許文献１参照）。
【０００３】
図１４は、従来におけるこのような電力供給装置の構成を示す図である。この図に示すように、従来の電力供給装置は、インバータ１０１、カレントトランス１０２、サイリスタ１０３，１０４、スイッチ１０５、出力端子１０６、および制御回路１０７によって構成されており、スイッチ１０５の一端ならびにサイリスタ１０３のアノードおよびサイリスタ１０４のカソードには商用交流電源１００が接続されている。
【０００４】
ここで、商用交流電源１００は、正弦波電圧を出力する交流電源である。インバータ１０１は、制御回路１０７の制御に基づいて、図示せぬ直流電源（例えば、バッテリー）から供給される直流電力を交流電力に変換して出力する。
【０００５】
カレントトランス１０２は、インバータ１０１の出力電流を検出し、制御回路１０７に通知する。サイリスタ１０３，１０４は、制御回路１０７によって、ゲートに印加される電圧が制御され、商用交流電源１００と出力端子１０６とを接続または切断する。
【０００６】
スイッチ１０５は、制御回路１０７によって制御され、商用交流電源１００からの交流電力またはインバータ１０１からの交流電力の一方を選択して出力端子１０６に供給する。出力端子１０６は、図示せぬ負荷が接続される端子である。
【０００７】
つぎに、以上の従来例の動作について説明する。
【０００８】
スイッチ１０５が下側の接点に接続されている場合、すなわち、インバータ１０１からの出力を選択している場合に、例えば、インバータ１０１に何らかの不具合が発生して、商用交流電源１００に切り替える必要が生じたとする。
【０００９】
その場合、スイッチ１０５の接続状態を、インバータ１０１側から商用交流電源１００側に切り替える必要がある。スイッチ１０５は、電磁式のスイッチ（例えば、リレー）であるので、切り替え動作に時間を要する。そのため、スイッチ１０５が切り替わる間は出力端子１０６に電力が供給されない状態となってしまう。
【００１０】
このような事態を回避するために、従来の電力供給装置では、スイッチ１０５の接続状態を切り替える際には、サイリスタ１０３，１０４をオンの状態としてインバータ１０１と商用交流電源１００の双方を出力端子１０６に接続しておき、その後にスイッチ１０５を切り替えるようにしている。その結果、スイッチ１０５の接続状態が切り替わる際には、商用交流電源１００から電力が供給されるため、出力端子１０６に電力が供給されなくなることを防止できる。
【００１１】
【特許文献１】
特開平８−０３３２３６号公報（要約書）
【００１２】
【発明が解決しようとする課題】
しかし、サイリスタ１０３，１０４は高価であるため、装置全体のコストが増大してしまうという問題点がある。特に、商用交流電源１００と、サイリスタ１０３，１０４との間には、流入する電流を制限するための制限回路（例えば、ブレーカー等）が設けられているが、この制限回路が動作する電流程度までは正常に動作する必要があるため、電流容量の大きい、すなわち、高価なサイリスタ１０３，１０４を使用する必要が生じるという問題点がある。
【００１３】
そこで、サイリスタ１０３，１０４の代わりに、安価なリレーを用いることも原理的には可能である。ところで、商用交流電源１００と出力端子１０６とを接続した場合、商用交流電源１００とインバータ１０１とが短絡された状態となる。このとき、商用交流電源１００とインバータ１０１との間には、振動電流である「横流」が発生してしまうが、この横流は電流値が大きいため、インバータ１０１を構成する素子にストレスを与えてしまう。したがって、このような横流が流れる期間はできるだけ短くすることが望ましいが、リレーを用いた場合にはサイリスタ１０３，１０４に比べて切り替え動作に時間を要するため、横流が長い時間に渡って流れてしまい、インバータ１０１を構成する素子に強いストレスを与えてしまう。
【００１４】
本発明は、上記の事情に基づきなされたもので、その目的とするところは、横流の発生を簡易な構成で確実に防止することが可能な電力供給装置および電力供給方法を提供しよう、とするものである。
【００１５】
【課題を解決するための手段】
上述の目的を達成するため、本発明は、交流電源からの交流電力またはインバータからの交流電力を選択して出力する電力供給装置において、交流電源と出力との間に設けられた第１のスイッチと、インバータと出力との間に設けられた第２のスイッチと、第１および第２のスイッチの双方がオンの状態になった場合に、交流電源とインバータとの間に流れる横流を検出する検出回路と、検出回路によって横流が検出された場合には、インバータの動作を停止するように制御する制御回路と、を有している。
【００１６】
このため、横流の発生を簡易な構成で確実に防止することが可能になる。
【００１７】
また、他の発明は、上述の発明に加えて、制御回路は、インバータから交流電源へ選択先を変更する場合には、第１のスイッチをオンの状態にし、検出回路によって横流が検出された場合には、インバータの動作を停止した後、第２のスイッチをオフの状態にすることにより、インバータまたは出力側に接続された負荷にかかる負担を軽減させるようにしている。
【００１８】
このため、選択先を変更する場合において、横流が発生したときでもインバータを停止させることにより、インバータまたは出力側に接続された負荷にストレスがかかることを防止できる。
【００１９】
また、本発明は、交流電源と出力との間に設けられた第１のスイッチと、インバータと出力との間に設けられた第２のスイッチとを制御することにより、交流電源からの交流電力またはインバータからの交流電力を選択して出力する電力供給方法において、第１および第２のスイッチの双方がオンの状態になった場合に、交流電源とインバータとの間に流れる横流が検出されたときには、インバータの動作を停止させるようにしている。
【００２０】
このため、横流の発生を簡易な構成で確実に防止することが可能になる。
【００２１】
また、本発明は、交流電源からの交流電力またはインバータからの交流電力を選択して出力する電力供給装置において、交流電源と出力との間に設けられた第１のスイッチと、インバータと出力との間に設けられた第２のスイッチと、第１および第２のスイッチにより、インバータから交流電源へ選択先を変更する場合、または、交流電源からインバータへ選択先を変更する場合には、インバータから出力される交流電力の電圧および位相が交流電源から出力される交流電力の電圧および位相とそれぞれ等しくなるように制御する制御回路と、を有するようにしている。
【００２２】
このため、横流の発生を簡易な構成で確実に防止することが可能になる。
【００２３】
また、他の発明は、上述の発明に加えて、制御回路は、インバータから交流電源へ選択先を変更する場合には、インバータから出力される交流電力の電圧および位相が交流電源から出力される交流電力の電圧および位相とそれぞれ等しくなるように制御した後に、第１のスイッチをオンの状態にし、つづいて、第２のスイッチをオフの状態にし、交流電源からインバータへ選択先を変更する場合には、インバータから出力される交流電力の電圧および位相が交流電源から出力される交流電力の電圧および位相とそれぞれ等しくなるように制御した後に、第２のスイッチをオンの状態にし、つづいて、第１のスイッチをオフの状態にするようにしている。
【００２４】
このため、選択先を変更する際において、横流が発生することを確実に防止することが可能になるため、インバータまたは出力側に接続された負荷にストレスがかかることを防止できる。
【００２５】
また、本発明は、交流電源と出力との間に設けられた第１のスイッチと、インバータと出力との間に設けられた第２のスイッチとを制御することにより、交流電源からの交流電力またはインバータからの交流電力を選択して出力する電力供給方法において、インバータから交流電源へ選択先を変更する場合、または、交流電源からインバータへ選択先を変更する場合には、インバータから出力される交流電力の電圧および位相が交流電源から出力される交流電力の電圧および位相とそれぞれ等しくなるように制御するようにしている。
【００２６】
このため、横流の発生を簡易な構成で確実に防止することが可能になる。
【００２７】
【発明の実施の形態】
以下、本発明の一実施の形態について、図面を参照して説明する。
【００２８】
図１は、本発明の第１の実施の形態の構成例を示す図である。
【００２９】
この図に示すように、本発明の電力供給装置は、インバータ１１、カレントトランス１２、スイッチ１３，１４、出力端子１５、および制御回路１６によって構成されており、スイッチ１３には商用交流電源１０が接続されている。
【００３０】
ここで、請求項中の「交流電源」に相当する商用交流電源１０は、正弦波電圧を出力する交流電源である。「インバータ」に相当するインバータ１１は、制御回路１６の制御に基づいて、後述するバッテリーから供給される直流電力を交流電力に変換して出力する。
【００３１】
図２は、インバータ１１の詳細な構成例を示す図である。この図に示すように、インバータ１１は、バッテリー２０、直交変換回路２１、コイル２２、コンデンサ２３、および出力端子２４によって構成されている。
【００３２】
バッテリー２０は、例えば、鉛蓄電池等の二次電池によって構成されており、所定の電圧の直流電力を供給する。
【００３３】
直交変換回路２１は、バッテリー２０から供給される直流電力を、制御回路１６の制御に応じて交流電力に変換して出力する。なお、直交変換回路２１の出力段には、例えば、ＩＧＢＴ（Ｉｎｓｕｌａｔｅｄ　Ｇａｔｅ　Ｂｉｐｏｌａｒ　Ｔｒａｎｓｉｓｔｏｒ）などのスイッチング用のトランジスタが設けられており、このトランジスタを制御回路１６からの駆動信号に基づいてスイッチングすることにより、所望の周波数を有する交流電力を生成して出力する。なお、制御回路１６は、例えば、インバータ１１の出力電流等を参照して、トランジスタを駆動する信号のデューティー比を調整することにより、出力される交流の電力を制御する。すなわち、制御回路１６は、ＰＷＭ（Ｐｕｌｓｅ　Ｗｉｄｔｈ　Ｍｏｄｕｌａｔｉｏｎ）制御等により、インバータ１１から出力される電力を制御する。
【００３４】
コイル２２およびコンデンサ２３は、ローパスフィルタを構成している。このローパスフィルタは、所定の周波数（カットオフ周波数）以下の周波数成分のみを通過させることにより、直交変換回路２１の出力から高調波成分を除去する。なお、コイル２２およびコンデンサ２３の素子値は、直交変換回路２１から出力される交流電力の周波数よりも高い周波数成分を遮断する特性となるように設定すればよい。
【００３５】
図１に戻って、「検出回路」に相当するカレントトランス１２は、インバータ１１の出力電流を検出し、制御回路１６に通知する。「第１のスイッチ」に相当するスイッチ１３は、例えば、リレーによって構成されており、制御回路１６の制御に応じて、商用交流電源１０と出力端子１５とを接続または切断する。「第２のスイッチ」に相当するスイッチ１４は、例えば、リレーによって構成されており、制御回路１６の制御に応じて、インバータ１１と出力端子１５とを接続または切断する。
【００３６】
「出力」に相当する出力端子１５には、図示せぬ負荷が接続される。「制御回路」に相当する制御回路１６は、スイッチ１３，１４およびインバータ１１を制御する。
【００３７】
つぎに、図３〜図７を参照して、第１の実施の形態の動作について説明する。なお、図３〜図６は、スイッチ１３，１４の接続状態の変化を示す図であり、また、図７は、スイッチ１３，１４の状態、横流、およびインバータの動作状態の時間的変化を示す図である。
【００３８】
図３に示すように、スイッチ１４がオンの状態であり、スイッチ１５がオフの状態である場合（インバータ１１からの交流電力が選択されている場合）に、インバータ１１に何らかの不具合が発生し、商用交流電源１０に切り替える必要が生じたとする。その場合、制御回路１６は、まず、図３に示すように、スイッチ１４をオンの状態に保ったままで、スイッチ１３をオンの状態にする。この様子を図７を用いて説明すると、時刻ｔ１においてスイッチ１４をオンの状態に保ったままで、スイッチ１３がオンの状態になる。
【００３９】
スイッチ１３がオンの状態になると、インバータ１１と商用交流電源１０とが接続された状態になるので、これらの間で振動電流である横流が発生する（図４および図７（Ｂ）参照）。この横流は、時間の経過とともに横流の電流値が増大する（図７（Ｂ）参照）。制御回路１６は、カレントトランス１２からの信号を参照し、図７（Ｂ）に示すように、横流の電流値が所定の閾値を越えた場合（時刻ｔ２）には、図７（Ｃ）に示すように、インバータ１１の直交変換回路２１の動作を停止させる（図５参照）。その結果、図７（Ｂ）に示すように、横流が遮断される。なお、インバータ１１の直交変換回路２１の動作を停止させる方法としては、例えば、直交変換回路２１に供給する駆動信号を遮断することが考えられる。このような方法は、リレーを切り替えるよりも時間を要しないため、閾値を超えた場合にはインバータ１１の動作を瞬時に停止し、横流によるストレスを防止できる。なお、閾値は、インバータ１１を構成する素子にストレスがかからない程度の電流となるように設定することが望ましい。
【００４０】
制御回路１６は、スイッチ１３をオンの状態にしてから所定の時間が経過した場合（時刻ｔ３）には、スイッチ１４をオフの状態にする（図６および図７参照）。その結果、インバータ１１から商用交流電源１０への切り替えが完了する。なお、スイッチ１４はリレー等によって構成されているため、制御回路１６が制御を開始してから、実際にスイッチ１４がオフの状態になるまでは一定の時間を要するが、横流はすでに遮断されているため、この動作の遅れが問題となることはない。
【００４１】
以上に説明したように、本発明の第１の実施の形態によれば、カレントコイル１２によって横流の発生が検出された場合には、インバータ１１の動作を停止させるようにしたので、瞬時に横流を遮断し、インバータ１１を構成する素子にストレスがかかることを防止することができる。このため、回路の寿命を延ばすとともに、信頼性を向上させることができる。
【００４２】
また、第１の実施の形態では、サイリスタ等の半導体スイッチの代わりにリレー等であるスイッチ１３，１４を使用することが可能となるので、装置のコストを減少させることが可能になる。
【００４３】
さらに、第１の実施の形態では、スイッチ１３をオンの状態にした後の一定期間（横流が閾値を超えるまでの期間）は、商用交流電源１０とインバータ１１の双方から電力が供給されることになる。このため、スイッチ１３をオフからオンに切り替えた直後の不安定状態（例えば、チャタリング発生している状態）時には、インバータ１１からも電力が供給されるので、スイッチ１３のチャタリング等によって商用交流電源１０の出力が変動した場合でも、負荷の動作が不安定になることを防止できる。
【００４４】
つぎに、本発明の第２の実施の形態について説明する。
【００４５】
図８は、本発明の第２の実施の形態の構成例を示す図である。なお、この図において、図１に示す第１の実施の形態と対応する部分には同一の符号を付してその説明を省略する。第２の実施の形態では、第１の実施の形態と比較して、制御回路１６が制御回路３０に置換されている。すなわち、制御回路３０の動作が制御回路１６の場合とは異なっている。その他の構成は、第１の実施の形態の場合と同様である。
【００４６】
つぎに、図９〜図１３を参照して本発明の第２の実施の形態の動作について説明する。なお、図９〜図１２は、スイッチ１３，１４の接続状態の変化を示す図であり、また、図１３は、商用交流電源１０およびインバータ１０の出力、ならびにスイッチ１３，１４の状態の時間的変化を示す図である。
【００４７】
図９に示すように、スイッチ１４がオンの状態あり、スイッチ１３がオフの状態である場合（インバータ１１からの交流電力が選択されている場合）に、インバータ１１に何らかの不具合が発生し、商用交流電源１０に切り替える必要が生じたとする。その場合、制御回路３０は、まず、図１０に示すように、スイッチ１３をオフの状態に、また、スイッチ１４をオンの状態に保ったままで、インバータ１１からの交流電力の電圧および位相が、商用交流電源１０からの交流電力の電圧および位相とそれぞれ等しくなるように調整する。図１３を参照してこのときの様子を説明すると、制御回路３０は、時刻ｔ１において、インバータ１１を構成する直交変換回路２１に制御信号を送り、インバータ１１から出力される交流電力の電圧および位相が、商用交流電源１０から出力される交流電力の電圧および位相と等しくなるように調整する。具体的には、制御回路３０は、商用交流電源１０からの交流電力の電圧および位相を参照し、インバータ１１からの交流電力の電圧および位相がこれらと等しくなるように、直交変換回路２１へ供給する駆動信号（ＰＷＭ信号）を調整する。
【００４８】
図１３（Ａ）および図１３（Ｂ）に示すように、調整前（時刻ｔ１よりも前）の段階では、商用交流電源１０からの出力電力の電圧はＶ１であり、また、インバータ１１からの出力電力の電圧はＶ２（≠Ｖ１）である。しかし、時刻ｔ１において、制御回路３０によって調整が行われると、インバータ１１の出力電圧の電圧はＶ３（＝Ｖ１）となる。なお、この図では、商用交流電源１０とインバータ１１の出力の位相は調整前から合っているが、位相が合っていない場合には、これらの位相が合うように調整する。なお、急激に位相を変化させると、ノイズが発生する虞があるので、位相を変化させる場合には、徐々に変化するように調整することが望ましい。
【００４９】
なお、切り替え動作時だけでなく、常にインバータ１１の出力と商用交流電源１０の出力の位相が合うように制御回路３０によって制御しておくことも可能である。そのような場合に、切り替え動作が必要になった際に、位相ズレが生じているときは、位相ズレが解消するまで、切り替え動作を一時的に保留すればよい。
【００５０】
インバータ１１からの交流電力の電圧および位相と、商用交流電源１０からの交流電力の電圧および位相とがそれぞれ等しくなると、制御回路３０は、図１３に示す時刻ｔ２において、スイッチ１３をオンの状態にする（図１１参照）。その結果、商用交流電源１０とインバータ１１とが接続されるが、これらの両交流電力の電圧と位相はともに合っているので、横流は発生しない。
【００５１】
スイッチ１３をオンの状態にしてから一定の時間が経過すると、制御回路３０は、スイッチ１４をオフの状態にする（図１２参照）。その結果、インバータ１１から商用交流電源１０への切り替えが終了する。なお、スイッチ１３がオンの状態にされた直後は、チャタリング等によって接続状態が不安定であるので、一定時間が経過するまではスイッチ１４のオンの状態を維持することが望ましい。
【００５２】
なお、スイッチ１４をオフの状態にしてから一定時間が経過した場合には、インバータ１１の動作を停止するようにしてもよい。
【００５３】
ところで、以上では、インバータ１１から商用交流電源１０に選択先を変更する場合について説明したが、商用交流電源１０からインバータ１１に選択先を変更する場合にも同様の動作によって横流の発生を防止できる。
【００５４】
すなわち、商用交流電源１０からインバータ１１へ選択先を変更する場合は、まず、スイッチ１３がオン、スイッチ１４がオフの状態であるときに、インバータ１１からの交流電力の電圧および位相が、商用交流電源１０からの交流電力の電圧および位相と等しくなるように調整する。そして、調整が完了した場合には、スイッチ１４をオンの状態にする。このとき、商用交流電源１０とインバータ１１の出力の電圧と位相は合っているので、横流が発生することはない。そして、スイッチ１４をオンの状態にしてから一定時間が経過した場合には、スイッチ１３をオフの状態にし、切り替え動作を完了する。
【００５５】
以上に説明したように、本発明の第２の実施の形態によれば、インバータ１１から出力される交流電力の電圧および位相が、商用交流電源１０から出力される交流電力の電圧および位相とそれぞれ等しくなるように調整した後、インバータ１１から商用交流電源１０に切り替えたり、その逆としている。このため、横流の発生を防止し、インバータ１１を構成する素子にストレスがかかることを防ぐことができる。また、素子にかかるストレスを防ぐことにより、回路の寿命を延ばすとともに、信頼性を向上させることができる。
【００５６】
また、第２の実施の形態では、サイリスタ等の半導体スイッチの代わりにリレー等であるスイッチ１３，１４を使用することが可能となるので、装置のコストを減少させることが可能になる。
【００５７】
さらに、第２の実施の形態では、スイッチ１３をオンの状態にした後、一定時間が経過した後に、スイッチ１４をオフの状態にするようにしている。このため、スイッチ１３をオフからオンに切り替えた直後の不安定状態（例えば、チャタリング発生している状態）時には、インバータ１１からの電力も負荷に同時に供給されるので、スイッチ１３のチャタリング等によって負荷の動作が不安定になることを防止できる。
【００５８】
なお、第１の実施の形態と第２の実施の形態を比較すると、第１の実施の形態は、インバータ１１からの出力電力の電圧および位相を合わせる必要がないので、短時間に切り替えを実行することができる。一方、第２の実施の形態は、電圧および位相を合わせる必要があるため、短時間の切り替えには利用できないが、電圧および位相が合った状態で切り替えが行われるので横流が全く発生しないという利点を有する。したがって、第１の実施の形態は、短時間に切り替え動作を実行する必要がある場合に好適であり、また、第２の実施の形態は、ある程度切り替えに時間はかかるものの、横流が発生することが望ましくない場合に好適である。
【００５９】
以上、本発明の一実施の形態について説明したが、本発明はこれ以外にも種々変形可能である。
【００６０】
例えば、以上の各実施の形態では、第１および第２のスイッチとしてリレーを用いるようにしたが、例えば、いずれか一方または両方に半導体スイッチを用いることも可能である。
【００６１】
また、横流を検出する方法としては、カレントトランス１２を用いるようにしたが、これ以外の方法（たとえば、抵抗素子に生ずる電圧降下）等を利用することも可能である。また、以上の各実施の形態では、カレントトランス１２をインバータ１１の出力側に設けるようにしたが、例えば、図２に示すように、インバータ１１の内部のコイル２２とコンデンサ２３の間に設けるようにしてもよい。また、カレントトランス１２を、商用交流電源１０側に配置したり、２つのカレントトランスを、インバータ１１側と商用交流電源１０側にそれぞれ１個ずつ設けるようにしてもよい。
【００６２】
さらに、第２の実施の形態では、位相と振幅が完全に合った場合に、切り替え動作を実行するようにしたが、これらの一方または双方が等しくない場合であっても、許容範囲内であれば、切り替え動作を実行するようにしてもよい。また、交流電源としては、商用交流電源１０を示したが、両電源ともにインバータとする等、他の交流電源としてもよい。
【００６３】
【発明の効果】
本発明によれば、横流の発生を簡易な構成で確実に防止することが可能になる。
【図面の簡単な説明】
【図１】本発明の第１の実施の形態に係る電力供給装置の構成例を示す図である。
【図２】図１に示す電力供給装置を構成するインバータの構成例を示す図である。
【図３】図１に示す電力供給装置のスイッチの動作を説明するための図で、インバータ側のスイッチがオンで商用交流電源側のスイッチがオフの状態を示す図である。
【図４】図１に示す電力供給装置のスイッチの動作を説明するための図で、インバータ側のスイッチと商用交流電源側のスイッチがともにオンの状態を示す図である。
【図５】図１に示す電力供給装置のスイッチの動作を説明するための図で、インバータ側のスイッチと商用交流電源側のスイッチがともにオンの状態を示す図である。
【図６】図１に示す電力供給装置のスイッチの動作を説明するための図で、インバータ側のスイッチがオフで商用交流電源側のスイッチがオンの状態を示す図である。
【図７】図１に示す電力供給装置の動作を説明するためのタイミングチャートである。
【図８】本発明の第２の実施の形態に係る電力供給装置の構成例を示す図である。
【図９】図６に示す電力供給装置のスイッチの動作を説明するための図で、インバータ側のスイッチがオンで商用交流電源側のスイッチがオフの状態を示す図である。ある。
【図１０】図６に示す電力供給装置のスイッチの動作を説明するための図で、インバータ側のスイッチがオンで商用交流電源側のスイッチがオフの状態を示す図である。ある。
【図１１】図６に示す電力供給装置のスイッチの動作を説明するための図で、インバータ側のスイッチと商用交流電源側のスイッチがともにオンの状態を示す図である。ある。
【図１２】図６に示す電力供給装置のスイッチの動作を説明するための図で、インバータ側のスイッチがオフで商用交流電源側のスイッチがオンの状態を示す図である。ある。
【図１３】図６に示す電力供給装置の動作を説明するためのタイミングチャートである。
【図１４】従来の電力供給装置の構成例を示す図である。
【符号の説明】
１０　商用交流電源（交流電源）
１１　インバータ（インバータ）
１２　カレントコイル（検出回路）
１３　スイッチ（第１のスイッチ）
１４　スイッチ（第２のスイッチ）
１６　制御回路（制御回路）
３０　制御回路（制御回路）
【図１】
2004147441.tif 000003
【図２】
2004147441.tif 000004
【図３】
2004147441.tif 000005
【図４】
2004147441.tif 000006
【図５】
2004147441.tif 000007
【図６】
2004147441.tif 000008
【図７】
2004147441.tif 000009
【図８】
2004147441.tif 000010
【図９】
2004147441.tif 000011
【図１０】
2004147441.tif 000012
【図１１】
2004147441.tif 000013
【図１２】
2004147441.tif 000014
【図１３】
2004147441.tif 000015
【図１４】
2004147441.tif 000016